(57)【要約】  興行領域および興行領域を取り囲む観客領域を備えるエンターテインメント会場であって、観客領域は、静的観客部分および動的観客部分を備え、動的観客部分は、興行領域の周りに連続的ループを規定するトラック基板、トラック基板に対してループの周りを移動するのに適合した複数の観客ポッド；および、トラック基板に隣接して配置されたプラットフォームを備え、それぞれのポッドは、隣接するポッドと間隔が空いていて物理的に連結されず；それぞれのポッドは、コントローラーに接続された少なくとも１つの近接センサーを備え、コントローラーは、ポッドが動いているときに隣接するポッドの間の所定の最小間隔を維持するように、および／または、隣接ポッドの間に置かれた異物を検出するように適合される。
2018501921.tif 000002
【特許請求の範囲】
【請求項１】
興行領域および興行領域を取り囲む観客領域を備えるエンターテインメント会場であって、
前記観客領域は、静的観客部分および動的観客部分を備え、
前記動的観客部分は、前記興行領域の周りに連続的ループを規定するトラック基板、前記トラック基板に対して前記ループの周りを移動するのに適合した複数の観客ポッド；および、前記トラック基板に隣接して配置されたプラットフォームを備え、
それぞれのポッドは、隣接するポッドと間隔が空いていて物理的に連結されず；
それぞれのポッドは、コントローラーに接続された少なくとも１つの近接センサーを備え、
前記コントローラーは、前記ポッドが動いているときに隣接するポッドの間の所定の最小間隔を維持するように、および／または、隣接するポッドの間に置かれた異物を検出するように適合される、
エンターテインメント会場。
【請求項２】
請求項１に記載のエンターテインメント会場であって、
それぞれのポッドは、電源および前記電源に接続されたモーターを具備するドライブトレインを備える、
エンターテインメント会場。
【請求項３】
請求項２に記載のエンターテインメント会場であって、
それぞれのポッド電源は、再充電可能な電源である、
エンターテインメント会場。
【請求項４】
請求項２または３に記載のエンターテインメント会場であって、
前記モーターは、前記コントローラーからの出力によって制御され、
前記コントローラーは、ドライブ出力（前記モーターが前記ポッドを一定速度で駆動する）、および、緊急出力（前記モーターが止められる）を備える、
エンターテインメント会場。
【請求項５】
請求項２から４のいずれかに記載のエンターテインメント会場であって、
前記コントローラーは、前記ポッドが動いているときに隣接するポッドの間の所定の最小間隔を維持するように適合される、
エンターテインメント会場。
【請求項６】
請求項２から５のいずれかに記載のエンターテインメント会場であって、
前記トラック基板は、連続的ループの形状の少なくとも１つのレールを運び、または、前記ポッドがそれに沿って移動するように適合されるパスを規定する、
エンターテインメント会場。
【請求項７】
請求項１から６のいずれかに記載のエンターテインメント会場であって、
前記プラットフォームは、前記トラック基板よりもよりも高度的に高い、
エンターテインメント会場。
【請求項８】
請求項１から７のいずれかに記載のエンターテインメント会場であって、
それぞれのポッドは、前記プラットフォームと高度的に並んだ床を有するアクセス開口部を備える、
エンターテインメント会場。
【請求項９】
請求項１から８のいずれかに記載のエンターテインメント会場であって、
それぞれのポッドは、その中に配置された１つまたは複数の座席を備える、
エンターテインメント会場。
【発明の詳細な説明】
【技術分野】
【０００１】
本発明は、新たに建設される会場の一部を形成することのできる、または、既存の会場に対して改築され得る、動的観客部分を備えたエンターテインメント会場に関する。
【背景技術】
【０００２】
ＵＳ２０１０／０１４６８６９は、競技場のような観客会場のための動的な座席配置を開示する。それは、独立に、または一連の連結されたプラットフォームの一部として、トラックまたはパスに沿って移動し得る複数の動的プラットフォームを記載する。
【発明の概要】
【発明が解決しようとする課題】
【０００３】
競技場、闘技場、劇場などのようなエンターテインメント会場では、特に団体参加者にとって、価値の高い観客領域を提供することが望ましい。観客領域の価値は、典型的に、会場内の領域の位置に依存する。一部の位置は、音楽コンサートまたはスポーツ試合のようなエンターテインメントが他よりも眺めがよく、これらの位置のためには、会場オーナーまたは後援者は、より高い金額を請求し得る。会場内のより多くの数の位置がエンターテインメントの最適な眺めを有し、したがって、最高値であることが理想的だが、伝統的な会場ではこれは不可能である。本発明は、この問題を対処および／また改良することを検討する。
【課題を解決するための手段】
【０００４】
本発明の第一の態様によれば、興行領域および興行領域を取り囲む観客領域を備えるエンターテインメント会場が提供され、観客領域は、静的観客部分および動的観客部分を備え、動的観客部分は、興行領域の周りに連続的ループを規定するトラック基板、トラック基板に対してループの周りを移動するのに適合した複数の観客ポッド；および、トラック基板に隣接して放射状に配置されたプラットフォームを備え、それぞれのポッドは、隣接するポッドと間隔が空いていて物理的に連結されず；それぞれのポッドは、コントローラーに接続された少なくとも１つの近接センサーを備え、コントローラーは、ポッドが動いているときに隣接するポッドの間の所定の最小間隔を維持するように、および／または隣接するポッドの間に存在する異物を検出するように、適合される。
【０００５】
本発明は、トラック基板によって規定されるループの周りをポッドが回るので、観客領域の動的部分内の観客が興行領域の異なる眺めを楽しむのを提供する。
【０００６】
添付図面に関して、ほんの一例として、ここに本発明の実施態様を説明する。
【図面の簡単な説明】
【０００７】
【図１】本発明の一実施態様に係る、動的観客領域を取り入れたエンターテインメント会場の斜視図である。
【図２】図１のエンターテインメント会場の近接図である。
【図３】本発明の一実施態様に係る動的観客領域において用いるためのポッドの斜視図である。
【図４】ポッドへの入場通路を示す、図３のポッドのさらなる斜視図である。
【図５】ポッドからの退場通路を示す、図３のポッドのさらなる斜視図である。
【図６】シートバックビデオスクリーンを示す、図３のポッドの詳細図である。
【図７】折り畳み式テーブルを示す、図３のポッドの詳細図である。
【図８】格納式ビデオスクリーンを示す、図７に示される折り畳み式テーブルの詳細図である。
【発明を実施するための形態】
【０００８】
本発明の一実施態様では、それぞれのポッドは、電源および電源に接続されたモーターを具備する、ドライブトレインを備える。この実施態様によれば、それぞれの観客ポッドは、個々に電力供給および制御されて、そのことは、エンターテインメント会場で主催されるイベントに応じて異なる数のポッドを備える動的観客領域を可能にする。またそれは、ポッドが非機能的になった場合、または欠陥を生じた場合に、残りのポッドを壊さずに簡単に取り除くことができることも意味する。リードポッドが後に続くポッドのためのエンジンとして作用し得る、物理的に連結されたポッドの「チェーン」またはトレインが提供される場合、リードポッドと関連する任意の問題は、トレイン内の残りのポッドに対して波及効果を有することが理解されよう。さらに、トレイン内のポッドに欠陥が生じた場合は、トレインを止めなければならず、欠陥のポッドを隣接ポッドから切り離して、トレインが再開し得る前に、隣接ポッドを一緒に接続しなければならない。
【０００９】
電源は、所望の持続時間のあいだポッドに電力供給するために必要なエネルギーの全てを電源が保存する自己充足型の電源を含んでよく、または、帯電したケーブルまたはレールのような一般的な静的電源とかみ合う電流コレクタのような集電装置を含んでよく、一般的な静的電源がエネルギーを与えられているときは常に、ポッドが電力供給されるのを可能にする。
【００１０】
前述の実施態様では、近接センサーは、隣接するポッドの間の最小間隔を維持するように適合され得て、および／または、隣接ポッドの間に不注意に置かれた異物を検出するように適合され得る。用語「異物」は、ポッドの操作を妨げ得るサイズを有する物を指すことが理解されよう。
【００１１】
代替の実施態様では、ポッドは、一般的なドライブシステム、例えばコンベヤー型システム上に配置され得る。この実施態様では、それぞれのポッドは、一般的なドライブシステムに対して静的であり、近接センサーは、隣接ポッドの間に不注意に置かれ得る異物を検出するために存在する。そのようなシナリオでは、コントローラーは、「ストップ」シグナルをドライブシステムに送信し得て、異物が安全に取り除かれ得るまでポッドの移動は止められる。この実施態様では、ドライブシステムは、トラック基板によって運ばれて（ｃａｒｒｉｅｄ）、ドライブシステムは、トラック基板に対して移動する。
【００１２】
ポッドがそれぞれドライブトレインを備える本発明の一実施態様では、それぞれのポッドのための電源は、再充電可能な、自己充足型の電源であってよい。適切には、それぞれの電源は、興行領域の上または中で開催されるイベントの持続時間、ポッドモーターに電力供給するのに十分なエネルギーを保存することが可能である。したがって、イベントでない期間中は、それぞれのポッドのための電源は、主電源のようなエネルギー源に接続されてポッド電源を充電してよく、イベント期間中は、ポッドは、それらのオンボード電源に保存されたエネルギーにより電力供給される。
【００１３】
それぞれのポッドのモーターは（それぞれのポッドはパワートレイン備える）、コントローラーからの出力によって制御され得る。この方法では、モーターの速度、したがってポッド自体の速度は、コントローラーによって制御され得る。さらに、コントローラーは、ポッドが実質的に一定速度でループの周りを駆動されるように実質的に一定速度でポッドのモーターを駆動するように適合された、第一の出力または「ドライブ」出力を備えてよい。同様に、ポッドが一般的なドライブシステムによって運ばれる場合は、第一のコントローラー出力は、近接センサーによって検出される危険がないこと、および、ドライブシステムがポッドをループの周囲で回転させ続けてよいことを、ドライブシステムに示し得る。
【００１４】
任意の所定のイベントに関して、ポッドは、実質的に一定の規定スピードでループの周りを適切に駆動される。しかしながら、規定スピードは、異なるイベントごとに異なってよい。したがって、任意の所定のイベントに関する規定スピードは、複数の異なる規定スピードから選択され得る。
【００１５】
一定速度は、適切には、まだ動いている間でさえ、観客がポッドに出入りすることのできるスピードである。人々は、動く歩道およびエスカレーターに慣れているので、動いている物に参加したり離れたりする概念は異常なことではない。前述を考慮すると、動いているポッドの一定速度（すなわちコントローラーからの対応する出力）は、適切には、６ｋｐｈ（キロメートル／時間）未満である。したがって、一定速度は、５ｋｐｈ未満、４ｋｐｈ未満、３ｋｐｈ未満、または２ｋｐｈ未満であってよい。しかしながら、それぞれのポッドは、イベント期間内（すなわち、イベントが開催中の時間）に少なくともループの１巡を完結させることが望ましい。したがって、速度は、適切には、０．１ｋｐｈよりも速く、例えば０．５ｋｐｈよりも速く、または０．７ｋｐｈよりも速い。代替のパラメーターとしては、ポッドの速度は、「単位時間あたりの周期」の観点から設定してよい。例えば、ゲームの半分がそれぞれ４５分間続くフットボールゲーム（すなわち米国でのサッカー）については、ポッドは、４５分あたり１周期の規定速度を有してよい。すなわち、それぞれのポッドは、所望の時間枠内にループの１回の完全な１巡を完結すべきである。
【００１６】
イベント期間中、ポッドの速度は一定であってよいが、異物がトラック基板上に存在する場合は、ポッドの損害、ポッド上にいる観客の妨害、および／または、異物の損害／損傷を避けるために、イベント中にポッドを止めることが必要であり得る。したがって、コントローラーは、（ポッドがそれぞれドライブトレインを備える実施態様では）モーターが止められる第二または「緊急」出力を備えてよく、または、（ポッドが一般的なドライブシステムによって運ばれる実施態様では）ドライブシステムが止められて、異物を取り除くことができるようなときまでポッドを停止させる。
【００１７】
本発明の特定の実施態様では、それぞれのポッドは、ドライブトレインを備える。適切には、それぞれのポッドのコントローラーからの出力は、ドライブトレインに接続されて、コントローラーは、一定速度でポッドを動かす「ドライブ出力」、および、ポッドを止める「緊急」出力を有する。加えて、ドライブトレインのための電源は、再充電可能であってよく、例えば、１つまたは複数の再充電可能なセルを含む再充電可能なバッテリーシステムであってよい。
【００１８】
トラック基板は、適切には、実質的に平らである。加えて、トラック基板によって規定されるループは、興行領域の周りに単一レベル（すなわち、単一の水平な平面）で提供され得る。本発明の一実施態様では、トラック基板は、連続的ループの形状の少なくとも１つのレールを運び、または、ポッドがそれに沿って移動するように適合されるパスを規定する。したがって、トラック基板は、１つまたは複数のレールを運んでよく、それがトラックを形成して、使用の際にその上をポッドが動く。あるいは、トラック基板は、トラックを形成するパスを規定してよく、例えば、トラック基板は、単純な平らの表面を規定してよく、トラック基板は、それぞれのポッドのガイド素子を受け入れるように適合された１つまたは複数のチャネルを規定してよく、または、それぞれのポッドをガイドするように適合された１つまたは複数の盛り上がったサイド素子を備えてよい。あるいは、トラック基板は、実質的に平らの表面を規定し、方位制御素子を備え、それぞれのポッドによって運ばれる対応する制御素子センサーがそれに続いてよい。そのような実施態様では、方位制御素子（単数または複数）は、トラック基板内に埋め込まれてよく、または基板により運ばれてよい。方位制御素子（単数または複数）は磁気であってよく、それぞれのポッドによって運ばれる制御素子センサーは、制御素子（単数または複数）によって生じる磁場を検出し得る。
【００１９】
さらなる実施態様では、トラック基板は、連続的な動くベルトまたはコンベヤーシステムを運び、それに、それぞれのポッドが固定されている。この実施態様では、ベルトまたはコンベヤーは、トラック基板に対して動き、その結果として、ポッドがトラック基板に対して動くが、ポッドはベルトまたはコンベヤーに対して静止している。
【００２０】
またさらなる実施態様では、トラック基板は、「マグレブ」システムの一部を形成する電磁石を運び、ポッドはそれぞれ、磁力を介してトラック基板の上にポッドを空中浮揚させるように適合された、対応する磁気素子を備える。
【００２１】
またさらなる実施態様では、ポッドは、動く流体クッションを介してトラック基板に対して動いてよく、ポッドは、流体クッションの上に「浮かぶ」。そのような実施態様では、流体は、水のような液体であってよく、または、空気のような気体であってよい。流体は、トラック基板の周りを流れてよく、それにより、ループの周りでポッドを輸送して、または、ポッドは、ボートのように流体に対して動き得て、または、流体クッションは、ホバークラフトのようにポッドとともに移動し得る。
【００２２】
トラック基板が実質的に平らなパスを規定する実施態様では、それぞれのポッドは、パスをかみ合わせてパスに対してポッドが動くのを可能にする複数の車輪を備えてよい。
【００２３】
トラック基板によって規定されるループの周りでポッドを物理的にガイドする代替として、コントローラーは、トラック基板の物理的な細部を備えてよく、コントローラーがトラック基板によって規定されるループの周りで内蔵データに基づいてポッドをガイドすることが可能であるように、ポッドに対する位置情報を含んでもよい。したがって、コントローラーは、ポッドがトラック上のどこに配置されているか感知または他の方法で検出し得て（換言すれば、コントローラーは「知っている」）、ループの周りを動くためにはポッドがどちらの方向に動く必要があるのかをコントローラーが決定することができるように、方向情報が事前にプログラミングされてよい。
【００２４】
本発明の特定の実施態様では、トラック基板は、ポッドのためのパスを形成する実質的に平らの表面を規定する。パスは、興行領域の周りのループを適切に規定する。
【００２５】
プラットフォームが提供されて、観客がポッドに出入りするのを可能にする。プラットフォームは、プラットフォームが連続的ループも形成するように円周のプラットフォームであってよく、または、不連続であってよく、ループ周囲の１つまたは複数の位置でトラック基板に隣接する。プラットフォームは、トラック基板よりも高度的に高くてよく、または高度的に低くてよく、または、トラック基板と高度的に並んでよい。しかしながら、適切には、プラットフォームは、トラック基板に対して高度的に盛り上がっている。
【００２６】
それぞれのポッドは、アクセス開口部とともに適切に提供されて、観客が必要に応じてポッドに出入りするのを可能にする。本発明の一実施態様では、開口部は、プラットフォームと高度的に並んだ床部分を備える。上述のとおり、ポッドは、イベントの持続時間（場合により間隔期間を除く）、連続的な速度でループの周りを動き得て、したがって観客は、イベント中に、ポッドが動いている間、ポッドに出入りし得ると予想される。そのような動作は、アクセス開口部の床部分をプラットフォームと高度的に並べることによって、より容易になされる。さらに、アクセス開口部の床部分を高度的にプラットフォームと一様の高さにすることは、車椅子および／またはベビーカーがポッドに出入りするのを可能にする。そのような実施態様では、アクセス開口部は、適切には、車椅子の通過または身体障害者ユーザを手助けする同様の動作を可能にするのに十分に広い。
【００２７】
ポッド内の観客の快適性のために、適切には、１つまたは複数の座席を含み、それは、ポッド内のそれぞれの観客のための個々の座席であってよく、または、複数の観客が座り得る１つまたは複数の共用座席であってよい。
【００２８】
座席に加えて、ポッドは、テーブルなどのような他の備品を備えてよい。本発明の一実施態様では、座席ポッド内の各座席は、折り畳み式テーブルのような支持表面が備わっていて、その上に、食べ物および／または飲み物のような物を置いてよい。しかしながら、ポッドは、動く部屋の形態をとってよく、その中を観客は自由に動き回ってよい。それぞれのポッドの室内デザインは、収容が望まれる観客に依存する。
【００２９】
観客領域の動的部分内に配置されるポッドは、実質的に同一のであってよい。あるいは、異なるサイズ、構造および／または座席収容力のポッドが、動的部分内に提供されてよい。
【００３０】
当業者は、本発明の態様およびその実施態様に関連して説明および定義される特徴は、特定の組み合わせが本明細書において明示的に述べられているかどうかにかかわらず、任意の組み合わせで組み合わせてよいことを理解する。したがって、全てのそのような組み合わせは、当業者が利用できると考えられる。
【００３１】
図１および図２は、本発明の一実施態様に係る動的観客領域を取り入れたイベント会場を示す。本実施態様のイベント会場は、固定座席の下段２の形態での第一の静的観客領域および固定座席の上段３の形態での第二の静的観客領域によって囲まれた運動場１を備える。静的座席の上段３と下段２との間には、運動場１の周りに連続的ループの形態で実質的に平らのパスを規定する、トラック基板４が提供される。パスは、本発明に係る複数のポッド５を運ぶ。ポッド５は、ポッド５に乗っている人が運動場１の絶え間なく変化する眺めを経験するように、トラック基板４上で競技場の周りを回るように個々にモーターが付けられている。
【００３２】
スポーツイベントの活動期の間（すなわち、ゲームまたは試合がプレイ中のとき）、ポッド５は、トラック基板４によって規定されるループの周りを回転する。運動場がフットボール（サッカー）場であって、トラック基板４が８００ｍの長さを有する場合は、ポッドはそれぞれ、ループの１巡を４５分の期間（すなわち試合の半分）で完結することが望ましい。この場合、ポッドは、４５分で８００ｍ、または１．０６７ｋｐｈの一定速度で動く。より長いループについては、ポッドは、１周を４５分内で完結するために相対的により速く動かなければならず、より短いループについては、ポッドは、相対的により遅い速度で動くことが理解されよう。
【００３３】
それぞれのポッド５は、それの下側の車輪（示さず）、および、ポッド５がそれ自身の電力の下でトラック基板４によって規定されるパスに沿って移動するのを可能にする電気モーターを備える。モーターのためのエネルギーは、再充電可能なバッテリー配置（これも示さず）によって提供される。モーターの速度は、コントローラー（示さず）によって制御される。それぞれのポッド５は、導く側部（すなわち、移動中のときにポッドを導くポッド５の側部）内に配置されたセンサーをさらに備え、ポッドが動いているときに、ポッドとその前の隣接ポッドとの間の最小間隔を維持する。
【００３４】
ここで、図３〜図５を参照して、それぞれのポッド５は、複数の座席６、本実施態様では、５個の２列での１０個の座席を備える。座席６の前列は、後列に座った観客が前列の観客の頭を越して見ることができるように、後列よりも低い。ポッド５は、競技場の室内に広告を表示するための電子看板の形態である前パネル７を備える。
【００３５】
高くされたプラットフォーム８は、トラック基板４に隣接してそこから外へ放射状に配置される。プラットフォーム８は、観客がポッド５の間を歩くのを可能にし、または、矢印Ａによって示されるように動的観客領域を出るのを可能にする。観客出口９は、プラットフォーム８に沿って間隔をおいて提供される。ポッド５に乗る観客は、プラットフォーム８から、矢印Ｂによって示されるようにポッド５の搭乗プラットフォーム１０の上へ踏み出す。搭乗プラットフォーム１０は、プラットフォーム８と高度的に並んでいる。ポッド５を出るためには、観客は、搭乗プラットフォーム１０からプラットフォーム８の上へ矢印Ｃによって示されるように観客出口９の１つを通って踏み出す。ポッド５の搭乗または退出の間、ポッド５は一定速度を維持する。
【００３６】
図６に示されるように、前列の座席６のそれぞれは、後列に座った観客による使用のためのビデオスクリーン１１を備える。図７および図８に示されるように、折り畳み式テーブル１２は、それぞれの座席が飲み物または軽食を支持するように提供される。前列の折り畳み式テーブル１２は、前列の観客による使用のための格納式ビデオスクリーン１２を備える。
【００３７】
使用中は、ポッド５は、座席６内の観客がトラックの１巡の期間にわたって運動場１の３６０度の眺めを有するように、トラック４上で競技場の周りを回る。ポッド５の速度は、固定座席と同じように観客が意のままに乗り降りすることができるように、相対的に低い。
【００３８】
要約すると、エンターテインメント会場での観衆のための動的観客領域は、トラック基板４の上に提供される複数の座席ポッド５を備え、エンターテインメント会場の周りに連続的ループを形成する。座席ポッド５は、エンターテインメント会場の周りのトラック基板４に沿った連続的な動きのためにモーターが付けられている。
【００３９】
この明細書の説明および特許請求の範囲全体を通じて、単語「含む（ｃｏｍｐｒｉｓｅ）」および「含む（ｃｏｎｔａｉｎ）」およびそれらの変型は、「含むが制限されない」ことを意味し、それらは他の構成要素、整数またはステップを除外することを意図しない（および除外しない）。この明細書の説明および特許請求の範囲全体を通じて、単数形は、文脈が別段の要求をしない限り、複数形を含む。特に、不定冠詞が用いられる場合は、文脈が別段の要求をしない限り、明細書は、単数形だけでなく複数形も検討することが理解されるべきである。
【００４０】
本発明の特定の態様、実施態様または実施例とともに記載される特性、整数、特徴、または群は、それと不適合でない限り、本明細書に記載される任意の他の態様、実施態様または実施例に適用可能であることが理解されるべきである。この明細書（任意の添付の特許請求の範囲、要約および図面を含む）に開示される全ての特性、および／または、そのように開示される任意の方法またはプロセスの全てのステップは、少なくとも一部のそのような特性および／またはステップが相互排他的である組み合わせを除き、任意の組み合わせで組み合わせてよい。本発明は、前述の実施態様のどの詳細にも制限されない。
【図１】
2018501921.tif 000003
【図２】
2018501921.tif 000004
【図３】
2018501921.tif 000005
【図４】
2018501921.tif 000006
【図５】
2018501921.tif 000007
【図６】
2018501921.tif 000008
【図７】
2018501921.tif 000009
【図８】
2018501921.tif 000010
【国際調査報告】
2018501921.tif 000011
2018501921.tif 000012